(57)【要約】      （修正有）【課題】道路横断が必要な配線の架空や地中埋設の施工が不要であり、設置場所の環境にかかわらず簡易に設置することができる道路横断表示装置を提供する。【解決手段】道路横断表示装置は信号機のない横断歩道７に設置される。横断歩道付近に設置され横断歩道に接近する車両に歩行者への注意喚起を促す発光表示を行う表示灯１、横断歩道の入口に設置され歩行者が押し操作するとボタンを押したという情報を含む操作信号を無線送信する押釦スイッチ２、押釦スイッチからの操作信号を無線受信すると表示灯を歩行者が横断歩道を渡り切るのに要する一定時間点灯又は点滅させるように動作制御する制御部３を備える。押釦スイッチはボタンの押し操作で可動する可動部、可動部の動きにより電磁誘導発電する起電部、起電部が発電した電力により操作信号を無線送信する送信部を有する。押釦スイッチには自ら発電して自ら無線送信するスイッチモジュールが用いられる。【選択図】図１
0003205287.tif 000002
【実用新案登録請求の範囲】
【請求項１】
信号機のない横断歩道に対して設置される道路横断表示装置であって、
上記横断歩道付近に設置されて当該横断歩道に接近する車両に対して歩行者への注意喚起を促すための発光表示を行う表示灯と、
上記横断歩道の入口に設置されて歩行者が押し操作するとボタンを押したという情報を含む操作信号を無線送信する押釦スイッチと、
上記押釦スイッチからの操作信号を無線受信すると上記表示灯を歩行者が横断歩道を渡り切るのに要する一定時間点灯又は点滅させるように動作制御する制御部とを備え、
上記押釦スイッチは、ボタンの押し操作で可動する可動部と、可動部の動きにより電磁誘導発電する起電部と、起電部が発電した電力により上記操作信号を無線送信する送信部とを有する道路横断表示装置。
【請求項２】
請求項１に記載の道路横断表示装置において、
上記押釦スイッチは、自ら発電して自ら無線送信するＥｎＯｃｅａｎ（登録商標）スイッチモジュールにより構成されている道路横断表示装置。
【請求項３】
請求項１又は２に記載の道路横断表示装置において、
上記表示灯及び上記制御部に電力供給するための太陽電池パネル及び蓄電部を更に備える道路横断表示装置。
【請求項４】
請求項１〜３のいずれか１項に記載の道路横断表示装置において、
上記の表示灯、押釦スイッチ及び制御部の各機器は、道路を挟んだ上記横断歩道の両側にそれぞれ設置され、
一側の上記各機器と他側の上記各機器との間では有線の配線接続がされず、両側の各制御部は一側の押釦スイッチからの上記操作信号を無線受信する構成とされ、
一側の制御部は当該一側に設置された表示灯の動作制御を行い、他側の制御部は当該他側に設置された表示灯の動作制御を行う構成とされている道路横断表示装置。
【請求項５】
請求項４に記載の道路横断表示装置において、
上記各制御部は、道路を挟んだ反対側の押釦スイッチからの操作信号を無線受信した場合、当該制御部の設置側における表示灯の発光表示時間を延長するように制御する構成とされている道路横断表示装置。
【考案の詳細な説明】
【技術分野】
【０００１】
本考案は、信号機のない横断歩道に対して設置される道路横断表示装置に関する。
【背景技術】
【０００２】
従来、この種の道路横断表示装置は、横断歩道に接近する車両に対して歩行者への注意喚起の発光表示を行う表示灯と、歩行者が押し操作する押釦スイッチと、押釦スイッチの押し操作により表示灯を一定時間点灯又は点滅させるように動作制御する制御部とを備えるものがある（特許文献１、２等）。表示灯と押釦スイッチは、道路を挟んで横断歩道の両側にそれぞれ設置され、制御部は、一方の押釦スイッチが押し操作されると２台の表示灯をともに点灯又は点滅させるように動作制御し、道路のいずれの方向から接近する車両に対しても注意喚起の発光表示が行われる。
【先行技術文献】
【特許文献】
【０００３】
【特許文献１】特開平６−２９９５１９号公報
【特許文献２】実用新案登録第３１８５１９２号号公報
【考案の概要】
【考案が解決しようとする課題】
【０００４】
このような従来の道路横断表示装置では、制御部と、道路を挟んで制御部と反対側に設置された表示灯及び押釦スイッチとの間の配線は、道路横断が必要な架空又は地中の埋設にて施工する必要がある。そのため、道路横断表示装置の設置には、高い支柱の設置や地面の掘り起こし等が必要であり、工事が大掛かりとなり、工事費用も高く付き、簡単に設置することができなかった。
【０００５】
また、工事中は、道路の交通規制や歩行者の誘導等を行う必要があるため、道路の交通量が多かったり、横断歩道が通学路や通勤路の一部で歩行者の通行量も多かったりすると、交通渋滞を招き、歩行者に不便を強いることとなり、また、交通規制等のために多くの人員が必要となり、工事費用がさらに高く付くこととなる。
【０００６】
また、横断歩道のある道路やその側道等に水路があったり、水道管やガス管等が通っていたりすると、配線を地中に埋設するために、また架空配線用の高い支柱を道路脇に設置するために、地面を深く掘ることが困難であり、施工工事自体が場所的にできない場合もあった。
【０００７】
本考案は、以上の事情に鑑みてなされたものであり、道路横断が必要な配線の架空や地中埋設の施工が不要であり、設置場所の環境にかかわらず簡易に設置することができる道路横断表示装置を提供することを目的とする。
【課題を解決するための手段】
【０００８】
本考案に係る道路横断表示装置は、
信号機のない横断歩道に対して設置される道路横断表示装置であって、
上記横断歩道付近に設置されて当該横断歩道に接近する車両に対して歩行者への注意喚起を促すための発光表示を行う表示灯と、
上記横断歩道の入口に設置されて歩行者が押し操作するとボタンを押したという情報を含む操作信号を無線送信する押釦スイッチと、
上記押釦スイッチからの操作信号を無線受信すると上記表示灯を歩行者が横断歩道を渡り切るのに要する一定時間点灯又は点滅させるように動作制御する制御部とを備え、
上記押釦スイッチは、ボタンの押し操作で可動する可動部と、可動部の動きにより電磁誘導発電する起電部と、起電部が発電した電力により上記操作信号を無線送信する送信部とを有するものである。
上記押釦スイッチとしては、例えば、自ら発電して自ら無線送信するＥｎＯｃｅａｎ（登録商標）スイッチモジュールにより構成される。
【０００９】
上記構成より、押釦スイッチの操作信号を制御部へ伝達するのに無線で行うようにしたので、押釦スイッチと制御部との間の配線が不要となり（ワイヤレス化）、道路横断が必要な配線の架空又は地中埋設の工事が不要となるから、設置工事が大幅に簡略化され、また、交通規制せずに設置することができる。また、押釦スイッチは、ボタンの押し操作により起電部が発電し、この電力を利用して送信部がボタンを押したという操作信号が無線送信される。これにより、操作信号の無線送信のための電力は、押釦スイッチの押し操作により発生させるので、押釦スイッチに電池を組み込んだり外部電源の電源配線を引き込んだりすることも不要となる（電源レス化）。従って、押釦スイッチの設置場所を自由に設計することができ、押釦スイッチの設置に伴う工事も簡略化することができ、また、電池交換等のメンテナンスも不要となる。
【００１０】
上記表示灯及び上記制御部に電力供給するための太陽電池パネル及び蓄電部を更に備えるようにしてもよく、この場合、商用電源により電力供給できない場所であっても道路横断表示装置を設置することができ、設置場所の自由度が広がる。
【００１１】
上記の表示灯、押釦スイッチ及び制御部の各機器は、道路を挟んだ上記横断歩道の両側にそれぞれ設置され、
一側の上記各機器と他側の上記各機器との間では有線の配線接続がされず、両側の各制御部は一側の押釦スイッチからの上記操作信号を無線受信する構成とされ、
一側の制御部は当該一側に設置された表示灯の動作制御を行い、他側の制御部は当該他側に設置された表示灯の動作制御を行う構成とされている。
これにより、制御部は、横断歩道の両側にそれぞれ設置され、それぞれの側の表示灯の動作制御を行うので、制御部と表示灯との間の配線として、道路横断が必要となる架空又は地中埋設の工事が不要となり、設置工事が簡略化され、また、交通規制せずに設置することができる。また、横断歩道の両側にそれぞれ設置される各制御部は、一方の押釦スイッチからの操作信号を無線受信すると、それぞれの側の表示灯の発光表示を行うように動作制御するので、道路のいずれの方向から接近する車両に対しても注意喚起の発光表示を行うことができる。
【００１２】
また、上記各制御部は、道路を挟んだ反対側の押釦スイッチからの操作信号を無線受信した場合、当該制御部の設置側における表示灯の発光表示時間を延長するように制御する構成としてもよく、この場合、横断歩道を渡る歩行者から見れば、対向側に設置された表示灯、すなわち横断歩道の進行方向後半部分の道路車線に対する表示灯の発光表示時間が長くなる。従って、歩行速度の遅い高齢者等が、横断歩道の後半に差し掛かったときでも、表示灯の発光表示が継続されているので、車両に対して注意喚起を確実に行うことができ、歩行者の安全性をより確実に確保することができる。
【考案の効果】
【００１３】
以上のように、本考案に係る道路横断表示装置によれば、道路横断が必要な配線の架空や地中埋設の工事が不要であり、設置場所の環境にかかわらず簡易に設置することができ、また、工事費用も低減することができる。また、交通規制せずに設置可能であるから、工事による交通渋滞を生じさせることもない。
【図面の簡単な説明】
【００１４】
【図１】実施形態の道路横断表示装置の設置状態を示す模式図である。
【図２】実施形態の道路横断表示装置の構成を示すブロック図である。
【考案を実施するための形態】
【００１５】
以下に、本考案の実施形態について図面を参照しながら説明する。
図１に示すように、本実施形態の道路横断表示装置は、信号機のない横断歩道７に設置されるものであり、表示灯１、押釦スイッチ２、制御部３を有し、これらの各機器１，２，３が道路８を挟んだ横断歩道７の両側にそれぞれ設置されている。
【００１６】
表示灯１と制御部３は、横断歩道７付近の路側に設置された支柱４に取り付けられている。この制御部３は、制御ボックス３０内に収容されて支柱４に取り付けられている。押釦スイッチ２は、横断歩道７の入口の右端又は左端に設置された低い支柱５に取り付けられている。なお、これらの支柱４，５は、電線を道路８を架空させて設置する高い支柱ではなく、地面を浅く掘って設置可能な高さの支柱である。
【００１７】
表示灯１は、横断歩道７付近に設置されて当該横断歩道７に接近する車両（図１中、矢印）に対して歩行者への注意喚起を促すための発光表示を行うものである。発光表示としては、例えば、「横断注意」等の文字により構成されるが、この文字に限られないし、また、文字に限らず記号等その他の発光表示でもよい。この発光表示の光源には、例えば、ＬＥＤ、レーザー等を使用することができる。発光表示面は、この表示灯１の設置側の車線を走る車両に対向させて運転者に見やすく設置される。
【００１８】
押釦スイッチ２は、横断歩道７の入口に設置されて当該横断歩道７を渡ろうとする歩行者が押し操作することにより、表示灯１の発光表示を行わせるようにするためのものである。
【００１９】
制御部３は、この制御部３の設置側の表示灯１、すなわち本実施形態では、制御部３とともに支柱４に取り付けられた表示灯１を点灯又は点滅させるように動作制御するものである。制御部３は、横断歩道７の両側のいずれか一方の押釦スイッチ２が押し操作されると、歩行者が横断歩道７を渡り切るのに要する一定時間、この制御部３の設置側の表示灯１を点灯又は点滅させるように動作制御する。
【００２０】
上記の表示灯１、押釦スイッチ２及び制御部３の各機器１，２，３は、道路８を挟んだ横断歩道７の両側にそれぞれ設置され、各押釦スイッチ２は、各制御部３に対して無線通信することにより、一側の各機器１，２，３と他側の各機器１，２，３との間は、有線の配線接続を不要とする構成とされている。
【００２１】
すなわち、図２をも参照して、この押釦スイッチ２は、歩行者が押し操作すると「ボタンを押した」という情報を含む操作信号Ｓが無線送信されるスイッチモジュールにより構成され、具体的には、ＥｎＯｃｅａｎ（登録商標）スイッチモジュールにより構成されている。ＥｎＯｃｅａｎ（登録商標）スイッチモジュールは、自ら発電して自ら無線送信する機能を有する。このＥｎＯｃｅａｎ（登録商標）スイッチモジュールによる押釦スイッチ２は、ボタンの押し操作で可動する可動部２１と、可動部２１の動きにより電磁誘導発電する起電部２２と、起電部２２が発電した電力により操作信号Ｓを無線送信する送信部２３とを有する。
【００２２】
起電部２２の電磁誘導機構は、コイルと磁石とにより構成され、押釦スイッチ２のボタンの押し操作により可動部２１が可動すると、コイルに対して磁石が相対移動してコイルに電流を発生させて発電する。送信部２３は、低消費電力の無線通信モジュールにより構成され、起電部２２により発電した僅かな電力で「ボタンを押した」という情報を含む操作信号Ｓを送信する。この送信部２３の無線通信方式としては、例えば、ＺｉｇＢｅｅ（登録商標）やＢｌｕｅｔｏｏｔｈ（登録商標）等の近距離無線通信規格を使用することができる。この送信部２３の無線送信は、複数回数で繰り返して行うようにすることができ、例えば、３回、操作信号Ｓを無線送信するように設定することができる。
【００２３】
このように、押釦スイッチ２をＥｎＯｃｅａｎ（登録商標）スイッチモジュールにより構成することにより、押釦スイッチ２と制御部３との配線を不要（ワイヤレス）とすることができ、配線のための工事が不要となり、道路横断が必要な配線の架空や地中埋設の施工が不要であり、設置場所の環境にかかわらず簡易に設置することができる。また、ＥｎＯｃｅａｎ（登録商標）スイッチモジュールは、自ら発電するので、押釦スイッチ２に電力供給する電池等の電源が不要（電源６レス）であり、電池消耗による操作信号Ｓの送信不良を無くし、また、電池交換等のメンテナンスも不要とすることができる。
【００２４】
一方、制御部３は、押釦スイッチ２からの操作信号Ｓを無線受信する受信部３１と、制御回路３２とを有する。制御回路３２は、操作信号Ｓを受信した受信部３１からの出力信号に基づいて制御信号を出力して表示灯１を歩行者が横断歩道７を渡り切るのに要する一定時間点灯又は点滅させるように動作制御する。この一定時間は、横断歩道７の長さ（道路８の幅）、交通量、周辺環境等を考慮して必要に応じて設定することができる。制御部３は、電源６と接続されて電力供給を受け、また、この電源６の電力を表示灯１に電力供給を行っている。
【００２５】
そして、道路８を跨いだ横断歩道７の両側の各制御部３は、一側の押釦スイッチ２からの操作信号Ｓを無線受信すると、一側の制御部３は当該一側に設置された表示灯１の動作制御を行い、他側の制御部３は当該他側に設置された表示灯１の動作制御を行う構成とされている。従って、制御部３は、一方の押釦スイッチ２が押し操作されると２台の表示灯１をともに点灯又は点滅させるように動作制御し、道路８のいずれの方向から接近する車両に対しても注意喚起の発光表示が行われるようにしている。
【００２６】
また、表示灯１と制御部３とを取り付けた支柱４には、太陽電池パネル６１と、太陽電池パネル６１の発電電力を蓄電する蓄電部６２とが取り付けられている。蓄電部６２は、制御ボックス３０内に収容して設置されている。太陽電池パネル６１及び蓄電部６２は、この支柱４５に取り付けられた表示灯１及び制御部３の電源６となる。これにより、商用電源の電力供給が受けられない場所であっても本実施形態の道路横断表示装置を設置することができ、設置場所の自由度が広がる。なお、商用電源が利用可能な場合は、道路横断表示装置には、太陽電池パネル６１及び蓄電部６２を設けない構成とすることができる。
【００２７】
以上の実施形態の道路横断表示装置によれば、押釦スイッチ２の操作信号Ｓを制御部３へ伝達するのに無線で行うようにしたので、押釦スイッチ２と制御部３との間の配線が不要となり（ワイヤレス化）、道路横断が必要な配線の架空又は地中埋設の工事が不要となるから、道路横断表示装置の設置工事が大幅に簡略化され、また、交通規制せずに道路横断表示装置を設置することができる。
【００２８】
また、押釦スイッチ２は、自ら発電して自ら無線送信するＥｎＯｃｅａｎ（登録商標）スイッチモジュールで構成することにより、ボタンの押し操作により起電部２２が発電し、この電力を利用して送信部２３が「ボタンを押した」という操作信号Ｓを無線送信する。これにより、操作信号Ｓの無線送信のための電力は、押釦スイッチ２の押し操作により発生させるので、押釦スイッチ２に電池を組み込んだり外部電源の電源配線を引き込んだりすることも不要となる（電源レス化）。従って、押釦スイッチ２の設置場所を自由に設計することができ、押釦スイッチ２の設置に伴う工事も簡略化することができ、また、電池交換等のメンテナンスも不要となる。
【００２９】
また、制御部３は、横断歩道７の両側にそれぞれ設置され、それぞれの側の表示灯１の動作制御を行うので、制御部３と表示灯１との間の配線として、道路横断が必要となる架空又は地中埋設の工事が不要となるから、設置工事が簡略化され、また、交通規制せずに道路横断表示装置を設置することができる。また、横断歩道７の両側にそれぞれ設置される各制御部３は、一方の押釦スイッチ２からの操作信号Ｓを無線受信すると、それぞれの側の表示灯１の発光表示を行うように動作制御するので、道路８のいずれの方向から接近する車両に対しても注意喚起の発光表示を行うことができる。
【００３０】
以上より、本実施形態の道路横断表示装置によれば、道路横断が必要な配線の架空や地中埋設の工事が不要であり、設置場所の環境にかかわらず簡易に設置することができ、また、工事費用も低減することができる。さらに、交通規制せずに道路横断表示装置の設置が可能であるから、工事による交通渋滞を起こすこともない。
【００３１】
なお、各制御部３は、道路８を挟んだ反対側の押釦スイッチ２からの操作信号Ｓを無線受信した場合、当該制御部３の設置側における表示灯１の発光表示（点灯又は点滅）の時間を延長するように制御する構成としてもよい。この場合、各押釦スイッチ２の操作信号Ｓには、自己の識別子の情報を含むようにする。これにより、横断歩道７を渡る歩行者から見れば、対向側に設置された表示灯１、すなわち横断歩道７の進行方向の後半部分における道路８の車線に対する表示灯１の発光表示時間が長くなる。従って、歩行速度の遅い高齢者等が、横断歩道７の後半に差し掛かったときでも、表示灯１の発光表示が継続されているので、車両に対する注意喚起を確実に行うことができ、歩行者の安全性をより確実に確保することができる。
【符号の説明】
【００３２】
１  表示灯
２  押釦スイッチ
３  制御部
４  支柱
５  支柱
６  電源
７  横断歩道
８  道路
２１  可動部
２２  起電部
２３  送信部
３０  制御ボックス
３１  受信部
３２  制御回路
６１  太陽電池パネル
６２  蓄電部
Ｓ  操作信号
【図１】
0003205287.tif 000003
【図２】
0003205287.tif 000004
【手続補正書】
【提出日】平成28年5月13日(2016.5.13)
【手続補正１】
【補正対象書類名】実用新案登録請求の範囲
【補正対象項目名】請求項２
【補正方法】変更
【補正の内容】
【請求項２】
請求項１に記載の道路横断表示装置において、
上記押釦スイッチは、自ら発電して自ら無線送信するスイッチモジュールにより構成されている道路横断表示装置。